(57)【要約】【課題】外側カバーの形状の自由度を確保しつつ、確実に外側カバーの落下を防止する落下防止部を備える照明器具を提供する。【解決手段】照明器具は、光を照射する光源と；光源の照射側に設けられる光源カバーと；光源及び光源カバーを保持するケースと；ケースの内側壁に取り付けられる取付部、取付部に接続され取付部より径が大きい外郭部、及び取付部と外郭部との間に形成された段差部を有する外側カバーと；ケースに取り付けられ、段差部に対向する先端部を有する落下防止部と；を備える。【選択図】図１０
2019145303.tif 000002
【特許請求の範囲】
【請求項１】
光を照射する光源と；
前記光源の照射側に設けられる光源カバーと；
前記光源及び前記光源カバーを保持するケースと；
前記ケースの内側壁に取り付けられる取付部、前記取付部に接続され前記取付部より径が大きい外郭部、及び前記取付部と前記外郭部との間に形成された段差部を有する外側カバーと；
前記ケースに取り付けられ、前記段差部に対向する先端部を有する落下防止部と；
を備える照明器具。
【請求項２】
前記落下防止部は、
前記ケースの底面から前記外側カバーに向かって延びる腕部と、
前記腕部に接続され、前記ケースの底面に沿って延びる支持アームを更に有し、
前記支持アームの長さは、前記取付部の光軸方向の長さよりも長い
請求項１記載の照明器具。
【請求項３】
前記腕部は、
前記ケースに取り付けられる基部と、
前記基部に接続され前記基部から傾斜して延びる傾斜部と、
前記傾斜部に接続され、前記ケースに対し垂直に前記外側カバーに向かって延びる垂直部と、を有し、
前記垂直部と前記支持アームと前記先端部とで、前記取付部が収納される収納空間が形成される
請求項２記載の照明器具。
【請求項４】
前記先端部は、前記段差部を係止する突状をなしており、
前記先端部の長さは、前記段差部の長さよりも短い
請求項１〜３のいずれか１項に記載の照明器具。
【請求項５】
前記落下防止部は、線材からなる
請求項１〜４のいずれか１項に記載の照明器具。
【発明の詳細な説明】
【技術分野】
【０００１】
本発明は、外側カバーの落下を防止する落下防止部を備える照明器具に関する。
【背景技術】
【０００２】
従来、外側カバーの落下を防止する落下防止部を備える照明器具が知られている。特許文献１には、ランプを覆うガラスグローブが、フック状の固定金具等で構成された落下防止部材によって引っ掛けられることによって、ガラスグローブの落下を防止する照明器具が開示されている。特許文献１は、ガラスグローブに落下防止部材を引っ掛けるために、ガラスグローブに凹部が形成されている。
【先行技術文献】
【特許文献】
【０００３】
【特許文献１】特開平８−１０２２０７号公報
【発明の概要】
【発明が解決しようとする課題】
【０００４】
しかしながら、特許文献１に開示された照明器具は、ガラスグローブに凹部を形成する必要があるため、製造コストがかかる。
【０００５】
本発明は、上記のような課題を解決するためになされたもので、外側カバーの形状の自由度を確保しつつ、確実に外側カバーの落下を防止する落下防止部を備える照明器具を提供するものである。
【課題を解決するための手段】
【０００６】
本発明に係る照明器具は、光を照射する光源と；光源の照射側に設けられる光源カバーと；光源及び光源カバーを保持するケースと；ケースの内側壁に取り付けられる取付部、取付部に接続され取付部より径が大きい外郭部、及び取付部と外郭部との間に形成された段差部を有する外側カバーと；ケースに取り付けられ、段差部に対向する先端部を有する落下防止部と；を備える。
【発明の効果】
【０００７】
本発明によれば、外側カバーの段差部が落下防止部に引っ掛かることにより、外側カバーの落下を防止する。このため、外側カバーに凹部を形成する必要がない。従って、外側カバーの形状の自由度を確保しつつ、確実に外側カバーの落下を防止することができる。
【図面の簡単な説明】
【０００８】
【図１】本発明の実施の形態１に係る照明器具１を示す組立斜視図である。
【図２】本発明の実施の形態１に係る照明器具１を示す側面図である。
【図３】本発明の実施の形態１に係る照明器具１を示す分解斜視図である。
【図４】本発明の実施の形態１に係る照明器具１を示す更なる分解斜視図である。
【図５】本発明の実施の形態１に係る外側カバー３を示す断面図である。
【図６】本発明の実施の形態１に係る照明器具１において外側カバー３が外された状態を示す分解斜視図である。
【図７】本発明の実施の形態１に係る照明器具１を示す更なる分解斜視図である。
【図８】本発明の実施の形態１に係る照明器具１において外側カバー３が外された状態を示す断面図である。
【図９】本発明の実施の形態１に係る照明器具１を示す断面図である。
【図１０】本発明の実施の形態１に係る照明器具１を示す断面図である。
【図１１】本発明の実施の形態１に係る落下防止部６を示す側面図である。
【図１２】本発明の実施の形態１において落下防止部６が外側カバー３の落下を防止する態様を示す第１の図である。
【図１３】本発明の実施の形態１において落下防止部６が外側カバー３の落下を防止する態様を示す第２の図である。
【図１４】本発明の実施の形態１において落下防止部６が外側カバー３の落下を防止する態様を示す第３の図である。
【発明を実施するための形態】
【０００９】
実施の形態１．
以下、本発明に係る照明器具の実施の形態について、図面を参照しながら説明する。図１は、本発明の実施の形態１に係る照明器具１を示す組立斜視図であり、図２は、本発明の実施の形態１に係る照明器具１を示す側面図である。図３は、本発明の実施の形態１に係る照明器具１を示す分解斜視図であり、図４は、本発明の実施の形態１に係る照明器具１を示す更なる分解斜視図である。図１〜図４に示すように、照明器具１は、天井等の被取付面に取り付けられるケース２と、ケース２に取り付けられる外側カバー３と、反射板４と、内部構成部材５と、落下防止部６とを備えている。
【００１０】
ケース２は、例えば樹脂又はアルミダイカストからなり、被取付面側の底面２５から延びる有底円筒状をなしている。ケース２の内側壁には、外側カバー３と螺合する雌ネジ２１が形成されている。ケース２の中央には、底面２５から照射側に突出する円筒状をなし、内部構成部材５の光源モジュール５１を支持する第１の支柱２２が設けられている。第１の支柱２２の側面には、光源モジュール５１の押さえ板５１ｃを固定するためのネジが螺合するネジ穴が形成された第２の支柱２３が設けられている。第２の支柱２３は、第１の支柱２２を補強するリブの機能を有している。ケース２の外縁部には、反射板４を固定するためのネジが螺合するネジ穴が形成された２つの第３の支柱２４が設けられている。ケース２の外形直径は、内部に収納される主要部品である光源モジュール５１、電源５２、バッテリ５３、非常用点灯装置５４及び電源端子台５５等の配置によって決定される。
【００１１】
図５は、本発明の実施の形態１に係る外側カバー３を示す断面図である。図５に示すように、外側カバー３は、例えばガラスからなり、有底円筒状をなしている。外側カバー３は、乳白色であり、拡散性を有する。外側カバー３は、ケース２の内側壁に取り付けられる取付部３２と、取付部３２に接続される外郭部３１とを有している。取付部３２の外壁には、ケース２と螺合する雄ネジ３３が形成されている。取付部３２の内側壁は、ケース２側から外郭部３１に向かうに連れ徐々に厚みが増して、内径が小さくなっている。外郭部３１は、例えば床に対向している。外郭部３１は、取付部３２よりも径が大きい。段差部３５は、取付部３２と外郭部３１との間に形成されている。即ち、取付部３２の内側壁から外郭部３１の内側壁までの間に、段差部３５が形成されている。
【００１２】
外側カバー３の雄ネジ３３がケース２の雌ネジ２１に螺合することにより、外側カバー３がケース２に固定される。外側カバー３の雄ネジ３３が形成されている場所には、リング状のカバーパッキン３４が取り付けられている。カバーパッキン３４は、例えばＯリングであり、ケース２及び外側カバー３の内部に水又は埃等が侵入することを抑制する。外側カバー３の外径は、約２８０ｍｍであり、ケース２の外形直径に応じて適宜決定される。
【００１３】
取付部３２の光軸方向の長さである高さｄ２は、ケース２にねじ込まれる雄ネジ３３の高さに、カバーパッキン３４を挟む部分の高さを加算した値とする。また、外郭部３１の高さは、外郭部３１側に配光される光の量に基づいて定める。外側カバー３の高さは、取付部３２の高さｄ２と外郭部３１の高さとを足したものである。また、段差部３５の長さｄ１は、取付部３２から外郭部３１にかけて拡径された長さに相当する。
【００１４】
反射板４は、例えば板金からなり、円板状をなしている。反射板４の中央には、内部構成部材５の光源モジュール５１が挿入される孔４１が形成されている。反射板４の周縁部には、第３の支柱２４とネジ止めされる２つの孔４２と、内部構成部材５の点検スイッチ５７が挿入される孔４３と、内部構成部材５の点検モニタ５６の表示窓４４と、落下防止部６が挿入される切欠き４５とが形成されている。
【００１５】
図６は、本発明の実施の形態１に係る照明器具１において外側カバー３が外された状態を示す分解斜視図であり、図７は、図６よりも更に分解された分解斜視図である。図８は、本発明の実施の形態１に係る照明器具１において外側カバー３が外された状態を示す断面図である。なお、図８は、図２のＡ−Ａ断面図である。図６〜図８に示すように、内部構成部材５は、光源モジュール５１、電源５２、バッテリ５３、非常用点灯装置５４、電源端子台５５、点検モニタ５６及び点検スイッチ５７からなる。
【００１６】
光源モジュール５１は、光源５１ａと、ソケット５１ｂと、押さえ板５１ｃと、光源カバー５１ｄとを有している。光源５１ａは、例えばＣＯＢ（Ｃｈｉｐ  Ｏｎ  Ｂｏａｒｄ）ＬＥＤからなり、光源５１ａと対向する外側カバー３の外郭部３１方向である正面方向に照射される光の量が多い配光分布を有している。なお、複数の光源５１ａが基板上に配置されたものが使用されてもよい。ソケット５１ｂは、例えば樹脂製であり、光源５１ａを保持し、且つ光源５１ａから発生する熱を放散させる。ソケット５１ｂは、複数のネジによって押さえ板５１ｃに固定される。押さえ板５１ｃは、例えばアルミニウム製であり、光源５１ａ及びソケット５１ｂを保持し、且つ光源５１ａから発生する熱を放散させる。
【００１７】
押さえ板５１ｃは、ケース２の第２の支柱２３に形成されたネジ穴にネジが挿入されて固定される。なお、ソケット５１ｂと押さえ板５１ｃとを固定するネジを用いて、光源５１ａを挟持するソケット５１ｂと押さえ板５１ｃとを第１の支柱２２に共締めしてもよい。このように、光源５１ａは、ソケット５１ｂと押さえ板５１ｃとに挟持されている。光源カバー５１ｄは、透明であり、光源５１ａの照射側に設けられ、第２の支柱２３に形成されたネジ穴にネジが挿入されて、押さえ板５１ｃと共締めにより固定される。光源モジュール５１は、第１の支柱２２に保持されることにより、ケース２の底面２５から照射側に離れた場所に位置している。光源モジュール５１は、反射板４の孔４１に挿入され、外側カバー３側に露出する。
【００１８】
電源５２は、ケース２に保持され、外部の商用電源から供給された電力を光源モジュール５１に供給する。バッテリ５３は、ケース２に保持され、外部の商用電源から電力が供給されている通常時に、非常用点灯装置５４によってトリクル充電されている。バッテリ５３は、外部の商用電源からの電力供給が停止する非常時に、非常用点灯装置５４を介して光源モジュール５１に電力を供給する。また、バッテリ５３は、照明器具１の点検時にも、非常用点灯装置５４を介して光源モジュール５１に電力を供給する。非常用点灯装置５４は、ケース２に保持され、バッテリ５３をトリクル充電する。電源端子台５５は、ケース２に保持され、外部の商用電源からの電源５２を供給する電線が接続される端子を複数有する。
【００１９】
点検モニタ５６は、ケース２に保持され、反射板４の表示窓４４を介して外側カバー３側から視認することができる。点検モニタ５６は、例えばＬＥＤを有する。点検モニタ５６のＬＥＤは、バッテリ５３が充分に充電されている場合、緑色に点灯する。本実施の形態１では、外部の商用電源から４８時間以上電力が供給されることにより、バッテリ５３が充分に充電され、点検モニタ５６のＬＥＤが点灯する。点検モニタ５６のＬＥＤは、バッテリ５３が充分に充電されていない場合、非点灯となる。バッテリ５３と非常用点灯装置５４とが電気的に接続されていない場合も、点検モニタ５６のＬＥＤは非点灯となる。これにより、バッテリ５３の充電状態及びバッテリ５３から光源モジュール５１に電力を供給することができないことを認識することができる。
【００２０】
点検スイッチ５７は、ケース２に保持され、反射板４の孔４３に挿入されて、外側カバー３側に露出する。点検者が、点検時に点検スイッチ５７を操作することにより、バッテリ５３から非常用点灯装置５４を介して光源モジュール５１に直流電力が供給される。点検者は、点検スイッチ５７を操作したときの点検モニタ５６のＬＥＤの表示状態によって、バッテリ５３の充電状態を確認することができる。
【００２１】
本実施の形態１の照明器具１は、通常時に常時点灯する照明とすることができる。なお、商用電源を供給する配線の途中に外部スイッチが設けられていてもよい。この場合、外部スイッチがオンされている場合、光源モジュール５１が点灯し、外部スイッチがオフされている場合、光源モジュール５１が非点灯となる。このように、外部スイッチが設けられることにより、常時点灯ではなく必要時に点灯することができる照明とすることもできる。
【００２２】
図９は、本発明の実施の形態１に係る照明器具１を示す断面図である。図９に示すように、電源端子台５５は、ケース２の底面２５に傾斜させて取り付けられた端子台固定板５５ａの上に載置されている。電源端子台５５は、ケース２に対し傾斜して配置されているため、作業者は、商用電源線（図示せず）を電源端子台５５に容易に接続することができる。なお、商用電源線（図示せず）は、第１の支柱２２の内部の開口２２ａを通ってケース２の外側に引き出される。なお、電源端子台５５は、ケース２の底面２５に傾斜面を形成して、傾斜面の上に配置されてもよい。これにより、部品点数を削減しつつ、端子台固定板５５ａと同等の施工性向上の効果を得ることができる。
【００２３】
図１０は、本発明の実施の形態１に係る照明器具１を示す断面図である。図１０は、図２のＢ−Ｂ断面図である。図１０に示すように、落下防止部６は、ケース２の底面２５の外縁部に取り付けられ、仮に外側カバー３がケース２から脱落した場合に外側カバー３を受け止める。落下防止部６は、例えばステンレス製の線材を折り曲げて形成されたものであり、線径が３ｍｍ以上である。なお、線径が３ｍｍより小さい場合、落下防止部６がしなって、外側カバー３を支えきれないおそれがある。また、線径が極端に大きい場合、落下防止部６の影が外側カバー３に写り込むため、線径は所定値以下にすることが好ましい。本実施の形態１の落下防止部６の線径は、３．２ｍｍである。
【００２４】
図１１は、本発明の実施の形態１に係る落下防止部６を示す側面図である。図１１に示すように、落下防止部６は、ケース２の底面２５から外側カバー３に向かって延びる腕部６０と、支持アーム６４と、先端部６５とを有している。腕部６０は、基部６１と、傾斜部６２と、垂直部６３とを有している。基部６１は、ケース２の底面２５に取り付けられ、支持アーム６４の方向からみて、Ω字状に曲げられている。基部６１において、Ω字状の円弧部分がケース２の底面２５に固定ネジ（図示せず）で固定される。なお、図８では、固定ネジのネジ穴のみが図示されている。ここで、落下防止部６の基部６１は、Ω字状以外の形状であってもよく、ぐらつきを抑えるために確実に固定されていればよい。また、落下防止部６は、固定ネジではなく、クリップ等で固定されてもよい。
【００２５】
傾斜部６２は、基部６１に接続され、基部６１から傾斜して延びる。傾斜部６２は、外側カバー３が落下した際に落下の勢いで外側カバー３が揺れることを抑制する。垂直部６３は、傾斜部６２に接続され、ケース２の底面２５に対し垂直に外側カバー３側に延びる。支持アーム６４は、ケース２の底面２５に沿って延びている。また、支持アーム６４は、垂直部６３に接続され水平方向且つ外側カバー３の外周側に延びる。支持アーム６４は、外側カバー３が落下後に回転した際に落下防止部６の先端部６５以外の場所に接触しないように水平方向に延伸されている。支持アーム６４は、先端部６５からケース２の底面２５に対し平行に延びる。支持アーム６４の長さＬ２は、取付部３２の高さｄ２よりも長い。ただ、支持アーム６４の長さＬ２が過度に長いと、外側カバー３の落下の勢いで揺れることにより、段差部３５が先端部６５から外れ、外側カバー３が落下するおそれがある。このため、支持アーム６４の長さＬ２は、取付部３２の高さｄ２よりも長過ぎないことが好ましい。本実施の形態１では、支持アーム６４の長さＬ２が、取付部３２の高さｄ２より５ｍｍ長い。
【００２６】
先端部６５は、支持アーム６４に接続され、段差部３５を係止する突状をなし底面２５側に延びる。先端部６５は、外側カバー３の段差部３５に対向するように段差部３５の直下に位置するように配置され、かぎ状をなしている。これにより、外側カバー３が落下しても、外側カバー３の段差部３５が先端部６５に引っ掛かる。先端部６５の長さＬ１は、段差部３５の長さｄ１よりも短い。先端部６５の長さＬ１が段差部３５の長さｄ１以上の場合、通常時、先端部６５が外側カバー３の段差部３５に引っ掛かり、外側カバー３の取り外しが困難になる。そこで、先端部６５の長さＬ１が段差部３５の長さｄ１よりも短いことによって、通常時に先端部６５が段差部３５に引っ掛かることを抑制している。ただ、先端部６５の長さＬ１が過度に短いと、段差部３５が先端部６５から抜けて落下するおそれがある。このため、先端部６５の長さＬ１は、段差部３５の長さｄ１よりも短過ぎないことが好ましい。本実施の形態１では、先端部６５の長さＬ１が、段差部３５の長さｄ１より３ｍｍ短い。
【００２７】
本実施の形態１の照明器具１は、非常用の照明器具として用いることができる。また、光源５１ａは、非常用の光源として用いることができる。この場合、社団法人日本照明器具１工業会発行の「非常用照明器具技術基準（ＪＩＬ５５０１−２００９）」付属書８「建設省告示第１８３０号に適合するＬＥＤ光源を用いた非常用照明器具に関する技術基準」に準拠して、光源カバー５１ｄの材質を不燃材料又はＪＩＳ  Ｃ  ６０６９５−２−１１（８５０℃）に適合する材料とし、外側カバー３の材質を例えばガラスといった不燃材料とする必要がある。
【００２８】
図１２は、本発明の実施の形態１において落下防止部６が外側カバー３の落下を防止する態様を示す第１の図である。図１３は、本発明の実施の形態１において落下防止部６が外側カバー３の落下を防止する態様を示す第２の図である。図１４は、本発明の実施の形態１において落下防止部６が外側カバー３の落下を防止する態様を示す第３の図である。次に、落下防止部６が外側カバー３の落下を防止する様子について説明する。図１２に示すように、外側カバー３とケース２との螺合が緩んで、外側カバー３がケース２から落下すると、外側カバー３の段差部３５は、段差部３５の直下に位置する落下防止部６の先端部６５に引っ掛かる。図１２は、外側カバー３が回転する前の態様を示しており、外側カバー３の回転角度が０度である。
【００２９】
この状態から、図１３に示すように、先端部６５と接触する段差部３５の対角線状に位置する段差部３５が、外側カバー３の自重によって下方向に移動する。これに伴って、外側カバー３は、段差部３５と先端部６５とが当たっている部分を中心として回転する。図１３は、外側カバー３の回転角度が４５度の態様を示す。外側カバー３が回転すると、図１４に示すように、外側カバー３の取付部３２が、落下防止部６の先端部６５と支持アーム６４と垂直部６３とで囲まれた収納空間６６に収まって保持される。図１４は、外側カバー３の回転角度が９０度の態様を示す。本実施の形態１では、先端部６５の長さＬ１が、段差部３５の長さｄ１よりも短いため、取付部３２が収納空間６６内に収まることを阻害しない。また、支持アーム６４の長さＬ２が、取付部３２の高さｄ２よりも長いため、取り付け部が収納空間６６内に収まることを許容する。
【００３０】
本実施の形態１によれば、外側カバー３に段差部３５が形成されている。そして、外側カバー３の段差部３５が落下防止部６に引っ掛かることにより、外側カバー３の落下を防止する。このため、外側カバー３に凹部を形成する必要がない。従って、外側カバー３の形状の自由度を確保しつつ、確実に外側カバー３の落下を防止することができる。また、外側カバー３の取付部３２は、落下防止部６に引っ掛かって回転した後、落下防止部６が形成する収納空間６６に収納されて保持される。このように、落下防止部６に引っ掛かった外側カバー３は、回転した後も落下しない。従って、本実施の形態１は、確実に外側カバー３の落下を防止することができる。また、外側カバー３に、落下防止部６の先端部６５が引っ掛かる段差部３５が形成されているため、落下防止部６の先端部６５が細くても、外側カバー３を保持することができる。従って、従来のように、重量の大きいガラスグローブ等が外側カバー３として採用されても、落下防止部６を太くする必要がない。よって、落下防止部６の影が外側カバー３に写り込むことを抑制することができる。
【００３１】
また、本実施の形態１によれば、落下防止部６は先端部６５を有し、外側カバー３は先端部６５が引っ掛かる段差部３５を有していることで、落下防止部６が撓んでも外側カバー３を保持することができる。よって、落下防止部６は１本の線材で形成することができる。また、落下防止部６を白色塗装することによって、落下防止部６の影が外側カバー３に写り込むことをより抑制することができる。
【００３２】
また、本実施の形態１によれば、落下防止部６は先端部６５を有し、外側カバー３は先端部６５が引っ掛かる段差部３５を有していることで、落下防止部６を太くしなくても外側カバー３を保持することができる。このため、落下防止部６を外側カバー３の内側面に近づけても、落下防止部６の影が外側カバー３に写り込むことを抑制することができる。よって、支持アーム部６４及び先端部６５をケース２の開口端部から離すことができ、外側カバー３をケース２に取り付けるときに、落下防止部６が外側カバー３に干渉することを抑制することができる。
【００３３】
また、本実施の形態１によれば、落下防止部６の影が外側カバー３に写り込むことを抑制するように落下防止部６が構成されているため、落下防止部６が照射範囲内に入るように光源モジュール５１を設けることができる。このように、光源モジュール５１は、落下防止部６を照射範囲内に含むことで、外側カバー３の側面を照射することができ、外側カバー３の全体を照射することができる。
【００３４】
また、本実施の形態１によれば、反射板４に落下防止部６と干渉しないための切欠き４５を設けている。ここで、落下防止部６が線材で形成されているため、切欠き４５を大きくする必要がない。よって、反射板４の性能への影響を抑制することができる。また、切欠き４５を設けることで、落下防止部６が外側カバー３を保持するときに反射板４に負荷がかかることを抑制することができる。
【００３５】
なお、落下防止部６は、ステンレス製の線材の線径が３ｍｍ以上である場合について例示しているが、外側カバー３の形状及び重量により、適宜変更することができる。
【符号の説明】
【００３６】
１  照明器具、２  ケース、３  外側カバー、４  反射板、５  内部構成部材、６  落下防止部、２１  雌ネジ、２２  第１の支柱、２２ａ  開口、２３  第２の支柱、２４  第３の支柱、２５  底面、３１  外郭部、３２  取付部、３３  雄ネジ、３４  カバーパッキン、３５  段差部、４１  孔、４２  孔、４３  孔、４４  表示窓、４５  切欠き、５１  光源モジュール、５１ａ  光源、５１ｂ  ソケット、５１ｃ  押さえ板、５１ｄ  光源カバー、５２  電源、５３  バッテリ、５４  非常用点灯装置、５５  電源端子台、５５ａ  端子台固定板、５６  点検モニタ、５７  点検スイッチ、６０  腕部、６１  基部、６２  傾斜部、６３  垂直部、６４  支持アーム、６５  先端部、６６  収納空間。
【図１】
2019145303.tif 000003
【図２】
2019145303.tif 000004
【図３】
2019145303.tif 000005
【図４】
2019145303.tif 000006
【図５】
2019145303.tif 000007
【図６】
2019145303.tif 000008
【図７】
2019145303.tif 000009
【図８】
2019145303.tif 000010
【図９】
2019145303.tif 000011
【図１０】
2019145303.tif 000012
【図１１】
2019145303.tif 000013
【図１２】
2019145303.tif 000014
【図１３】
2019145303.tif 000015
【図１４】
2019145303.tif 000016